(57)【特許請求の範囲】
【請求項１】
先端部に指サックが設けられたフィンガーベルトと、一端部が上記フィンガーベルトの基端部に回動自在に連結されたリストバンドと、このリストバンドが通るバンド通し孔が形成されると共に前記フィンガーベルトの基端部とリストバンドの一端部の両方又はいずれか一方に回動自在に結合されたバックルと、面ファスナーとを備え、この面ファスナーの一方の要素は上記リストバンドの少なくとも一方の面に設けられ他方の要素はリストバンドの一方の面における他端部に設けられており、リストバンドの他端部寄り部位を上記バンド通し孔に通したのち折り返して面ファスナーを止めることでリストバンドのループが固定するようにしたことを特徴とする魚釣用フィンガープロテクター。
【請求項２】
先端部に指サックが設けられたフィンガーベルトと、手首に巻き付けるリストバンドと、このリストバンドが通るバンド通し孔が形成されると共に前記フィンガーベルトの基端部に回動自在に結合されたバックルと、面ファスナーとを備え、リストバンドの一端部は上記バックルに連結され、面ファスナーの一方の要素はリストバンドの少なくとも一方の面に設けられ他方の要素はリストバンドの一方の面における他端部に設けられており、リストバンドの他端部寄り部位を上記バンド通し孔に通したのち折り返して面ファスナーを止めることでリストバンドのループが固定するようにしたことを特徴とする魚釣用フィンガープロテクター。
【発明の詳細な説明】
【０００１】
【発明の属する技術分野】
本発明は、魚釣用フィンガープロテクターに係り、特に、投げ釣りにおけるキャスティング時や手釣りを行うときに、釣糸に掛けた指がその釣糸によって傷められるのを防止するための魚釣用フィンガープロテクターに関するものである。
【０００２】
【従来の技術】
例えば、スピニングリールを使用した投げ釣りにおいて仕掛けをキャスティングする際は、釣竿を振り終わるまで、図１３に示すように、リールａから引出した釣糸ｂに指ｃ（一般的には、利き腕の人指し指）を掛けておいて、この釣糸ｂがスプールａから繰り出すのを止めておく操作を行う。従って、釣竿ｄを振ることによって釣糸ｂに生じるテンションがその指ｃにかかり、このテンションは釣竿ｄを振り終わった瞬間に強大になって、指ｃにかなり大きなダメージを与え、裂傷等の怪我をする。
【０００３】
そこで、投げ釣りを行うときは、釣糸ｂにかける指ｃを保護するための保護具を装着するようにしている。この種の保護具としては、従来から、手袋形のものや、単なる指サック形のものまで様々な形態のものが提供されているが、近時においては、指サック付きのリストバンドを手首に回して装着するタイプのフィンガープロテクターが多用されている。
このタイプのものは、比較的簡単な構成でありながら、指サックの脱落を確実に防止できると共に、手を覆う面積が小さく済むために、装着に圧迫感が少なくて操作性が良いといった利点がある。
【０００４】
このリストバンドタイプのフィンガープロテクターにも幾つかの種類がある。例えば、実公平８−８６２３号公報や実開平５−４８６７３号公報、意匠登録第８７９０５９号公報などには、先端部に指サックが設けられた直状のリストバンドを手首に巻いて、その先端部を基端部辺りに面ファスナーによって止めるタイプのものが記載されている。
【０００５】
また、意匠登録第８７９０７９の類似１号公報には、ループ状に形成されたリストバンドを有していて、このリストバンドに手首を通して装着するタイプのものが記載されている。
更に、実開昭５７−１５４７１４号公報には指サックから延びたベルトの端にこれと直交する方向へ延びるリストバンドを連結した逆さＴ字形のプロテクターが記載されており、実開平２−１４６１１８号公報にはＬ字形をしたリストバンドの一端部に指サックを設けた形態のものが記載されている。そして、意匠登録第８７９０７９号公報には逆Ｖ字形をしたリストバンドを有する形態のものが記載されている。
【０００６】
【発明が解決しようとする課題】
これら各タイプのうち、リストバンドが直状のものは、指の長さや手首の大きさ、或いは使い勝手に応じてバンドの締め具合を調節することで、概ね誰にも合わせることができるという汎用性はあるが、リストバンドが、その先端部を止めた部位で無理な形に曲がるため、手首への当たりに違和感があり、その部位が曲がった方向へ指サックが引っ張られてしまう傾向があって、装着感は必ずしも満足の行くものでなかった。
【０００７】
そして、リストバンドをループにするには、これを手首に巻いてその先端部を引っ張りながら締め付けを調節して止める、という複数の処理を同時に行うことを要求され、しかも、先端部を引っ張るほど手の甲に回した部分が先へ逃げて行くので、装着にはコツを必要とする。このため、使い馴れないうちは、どうしても締め付けがきつすぎたり弱すぎたりしてしまうという問題があった。
【０００８】
また、リストバンドが予めループ形に形成されているフィンガープロテクターは、これに手首を通しながら所望の指を指サックに挿入するだけで装着が済むため、誰にでも簡単に装着できるという利点はあるが、そのリストバンドの輪のサイズが自分の手の大きさと手首の太さや形にぴったり合うことは希であるから、どうしても緩かったりきつ過ぎたりするし、指サックの中で指が遊んだり、逆に後へ引っ張られたりするために、釣糸への指の掛け具合や竿の握り具合がしっくりいかないといった問題がある。
【０００９】
また、Ｌ字形、逆Ｔ字形、逆Ｖ字形をしたタイプのものはいずれも、直状タイプのものと同様、装着には、リストバンドの一端部を指で固定しながら別の指で他端部を引っ張って止めるという難しい処理が必要になる。また、Ｌ字形をした形態のものはそのＬ字の屈曲点で無理な形に曲がり、Ｔ字形をした形態のものもそのＬ字の交点でどうしても無理な形に曲がってしまう。そして、これらタイプものは、その形状の故に、材料取りに無駄が多く、多くの場合、左手用、右手用といったように使い勝手が限定されてしまうという問題があった。
【００１０】
本発明は上記した従来の問題点に鑑みて為されたものであり、リストバンドを手首に巻いてループを形成したときにそのリストバンドが無理な形に曲がることが無くて、手首に良く馴染むと共に、材料取りにも無駄が生じなく、或いは、手首のサイズを問わず誰にもフィットさせることができ、締め付けの強さ調節も簡単に行うことができ、装着の操作も至って簡単で、また、左手用と右手用の勝手が制約されることの無い新規な魚釣用フィンガープロテクターを提供することを目的とする。
【００１６】
【課題を解決するための手段】
この目的を達成するために、請求項１に係る魚釣用フィンガープロテクターは、先端部に指サックが設けられたフィンガーベルトと、一端部が上記フィンガーベルトの基端部に回動自在に連結されたリストバンドと、このリストバンドが通るバンド通し孔が形成されると共に前記フィンガーベルトの基端部とリストバンドの一端部の両方又はいずれか一方に回動自在に結合されたバックルと、面ファスナーとを備え、この面ファスナーの一方の要素は上記リストバンドの少なくとも一方の面に設けられ他方の要素はリストバンドの一方の面における他端部に設けられており、リストバンドの他端部寄り部位を上記バンド通し孔に通したのち折り返して面ファスナーを止めることでリストバンドのループが固定するようにしたものである。
【００１７】
この魚釣用フィンガープロテクターによる装着は、指サックに人指し指等を挿入しながらフィンガーベルトを手の甲側に載せ、リストバンドを手首に１周巻き付けてその他端部をバックルのバンド通し孔に通すことでループが形成され、次いで、その他端部を折り返しながら引っ張ることで手首への締め付けを適度に調節し、最後に面ファスナーを止めることで完了する。
【００１８】
この魚釣用フィンガープロテクターにあっては、手首に回したリストバンドを締め付ける操作は、必然的に、リストバンドがバックルのバンド通し孔を通された状態、即ち、形成されたループが絶対崩れない状態で行うことになるので、面ファスナーを止める部位を別の指で押さえておく必要は全く無い。従って、ループを形成して締め付けを調節しながらファスナーを止めるという難しい処理を要求される従来の直状バンドタイプのものとは違って、装着作業を１つ１つ順を追って処理すれば済むため、誰でも簡単に装着でき、締付けの強さ調節も容易且つ微細に行うことができる。
【００１９】
そして、この発明に係る魚釣用フィンガープロテクターは、手首に回したリストバンドの端を引っ張ると、リストバンドは、その略全体が当該手首に対して最も馴染む巻き形状となるように、その一端部がフィンガーベルトに対して自然に回動して一番無理のない向きに落ち着く。従って、リストバンドが手首に違和感無くぴったり馴染む。そして、リストバンドの巻き形状が手首に一番馴染む形になるので、フィンガーベルトが横方向へ引っ張られることは殆ど無く、従って、指サックに挿入した指が安定して、釣糸に対する操作や竿の握り具合も落ち着く。
また、この発明におけるフィンガーベルトとリストバンドの形状は、基本的に直状のもので足りるので、手を覆う面積が最小限で済むと共に、材料取りに無駄が生じない。
係止手段として面ファスナーを用いた場合は、リストバンドを手首に巻き付けるループの大きさを微細に調節できるため、手首の太さや形の違いに拘らず誰にも合わせることができる。スナップボタンを用いた場合はリストバンドの他端部を止める操作が簡単で済む。
【００２０】
この請求項１の発明を具体化する場合、バックルの回動中心が必ずしもフィンガーベルトとリストバンドとの結合軸と同軸上にある必要は無いが、これを同軸上に設けると、リストバンドとバックルが１つの軸で回動自在に連結されるため、これを装着する手が右手であろうと左手であろうと、リストバンドの巻き方向を選ぶことで、リストバンドの巻き終わり位置を別の手の側に持ってくることができる。従って、ループを形成したリストバンドの他端部を引っ張って締め付ける作業方向を、常に、別の手で手前側に引っ張るという、最も楽な方向とすることができる。
【００２１】
請求項２に記載した魚釣用フィンガープロテクターは、先端部に指サックが設けられたフィンガーベルトと、手首に巻き付けるリストバンドと、このリストバンドが通るバンド通し孔が形成されると共に前記フィンガーベルトの基端部に回動自在に結合されたバックルと、面ファスナーとを備え、リストバンドの一端部は上記バックルに連結され、面ファスナーの一方の要素はリストバンドの少なくとも一方の面に設けられ他方の要素はリストバンドの一方の面における他端部に設けられており、リストバンドの他端部寄り部位を上記バンド通し孔に通したのち折り返して面ファスナーを止めることでリストバンドのループが固定するようにしたものである。
【００２２】
この発明に係る魚釣用フィンガープロテクターにあっても、リストバンドのループ形成と手首への締め付けを、一つ一つ順を追って処理することができるので、装着作業を誰でも簡単に行うことができ、締付けの強さ調節も容易且つ微細に行うことができる。
そして、手首に回したリストバンドの端を引っ張ると、リストバンドは、その略全体が当該手首に対して最も馴染む巻き形状となるように、その一端部がフィンガーベルトに対して自然に回動して一番無理のない向きに落ち着く。従って、リストバンドが手首に違和感無くぴったり馴染む。
また、手を覆う面積が最小限で済むと共に、材料取りに無駄が生じない。
【００２３】
【発明の実施の形態】
以下に、本発明の実施の形態に係る魚釣用フィンガープロテクターを図面に従って説明する。
〔１．第一の実施の形態〕（図１〜図４）
図１から図４は、本発明の第一の実施の形態に係る魚釣用フィンガープロテクター１を示すものである。
【００２４】
〔Ａ．構造〕
この魚釣用フィンガープロテクター１は、一端部に指サック３が設けられたフィンガーベルト５と、手首に巻きつけるリストバンド７と、バックル９と、バックル止め１１と、リストバンド７に設けられた面ファスナー１３とから構成されている。
【００２５】
フィンガーベルト５は、比較的薄手の本革製のもので、通常サイズの大人の手における人指し指の長さの２倍程度の長さを有し、幅は、基端側半部５ａにおいては上記指の幅とほぼ同じ程度で、先端側半部５ｂにおいては基端側半部５ａの幅の半分程度に狭くなっている。そして、このフィンガーベルト５の基端部には円形の軸通し孔５ｃが形成され、また、全長に渡って多数の通気孔５ｄが形成されている。
【００２６】
フィンガーベルト５の先端側半部５ｂの裏面に、サック布１５が縫い付けられている。このサック布１５にもフィンガーベルト５と同様の素材が用いられており、展開形状は基端側半部５ａの横幅の４倍あまりの横幅を有した略台形状をしており、その側端部とフィンガーベルト５の先端側半部５ｂにおける側端部とを重ねて縫い合わせることで、先細りのスリーブ形をした指サック３が形成される。従って、この指サック３の先端は開口しており、場合によっては、ここに挿入した指の先端が多少露出する。
【００２７】
リストバンド７は、フィンガーベルト５の基端部より稍幅広な帯状をしており、長手方向で伸縮性を有する薄手のベースシート１７と、このベースシート１７の表て面に設けられた微小な無数の輪から成るループ層１９とで形成されている。ベースシート１７は縦糸にゴム繊維を用いた織布から成り、ループ層１９は、強靱な細い繊維をベースシート１７にパイル織状に縫い付けることで形成されている。
【００２８】
リストバンド７には、その一端部に円形の軸通し孔７ａが形成され、他端部７ｂの表て面（ループ層１９がある側の面）には長方形状をしたフック層２１が縫い付けられている。このフック層２１は微小な無数のフックから成り、このフック層２１と上記ループ層１９とで一対の面ファスナー１３が構成される。従って、このリストバンド７は、ループ層１９のいずれかの位置にフック層２１を重ねることによって輪を形成する。
【００２９】
バックル９（詳細は図２を参照）は、平板状のバックル主部２５と係合突起２７とが比較的軟質の合成樹脂によって一体に形成されて成る。
バックル主部２５は、厚み方向から見た外形が略等脚台形状をしており、その台形の上辺に相当する縁は円弧状に屈曲し、上面のうち円弧状の縁側へ偏寄した部位には多少の高さがある円形段部が形成されている。そして、台形の底辺に相当する直線縁に近い端部に、この直線縁と平行に延びる長孔形状のバンド通し孔２５ａが形成されており、このバンド通し孔２５ａの大きさは、リストバンド７がある程度楽に通る程度の大きさになっている。
【００３０】
係合突起２７は小さな円柱状をしており、バックル主部２５の下面のうち上記円形段部の中心に対応した位置から垂直に突出していて、その先端部はその余の部分より稍大径な係合頭部２７ａになっている。
【００３１】
バックル止め１１（詳細は図２を参照）は、その主部を為す円板部２９と、この円板部２９の上面の中心部から垂直に突出した背の低い円筒状のボス３１とが、可撓性に富む合成樹脂によって一体に形成されて成る。ボス３１の孔３１ａは、円板部２９を厚み方向へ貫通していて、その下半分は上半分より稍大径になっている。従って、孔３１ａの中間部には下方を向いた段差面３１ｂがある。また、孔３１ａの下半分の内径は前記係合突起２７の係合頭部２７ａの径と略等しく、上半分は上に行くに従って径が大きくなるテーパー形をしている。
【００３２】
これらフィンガーベルト５とリストバンド７及びバックル９は相互に回動自在となるように結合される。即ち、図２に示すように、リストバンド７の軸通し孔７ａには下方からバックル止め１１のボス３１が挿通され、フィンガーベルト５の軸通し孔５ｃには上方からバックル９の係合突起２７の基端部が挿通され、この係合突起２７がボス３１の孔３１ａに挿入されると共に、その係合頭部２７ａがボス３１の段差面３１ｂに係合する。これにより、バックル９とバックル止め１１とが一体的に結合されると共に、バックル止め１１のボス３１を回動中心として、フィンガーベルト５の基端部とリストバンド７の一端部とバックル９とが、相互に回動自在となるように結合される。
魚釣用フィンガープロテクター１は以上のように構成されている。
【００３３】
〔Ｂ．装着手順〕（図４）
このような魚釣用フィンガープロテクター１を手に装着する手順は、基本的に、図４に示すように行う。
先ず、リストバンド７とフィンガーベルト５との相対的な向きを、これらが互いに略Ｌ字形を為すようにして形を整える。この場合、フィンガープロテクター１を右手に装着するときは、図４（Ａ）に示すように、リストバンド７がフィンガーベルト５の基端からほぼ右側へ延び、バックル９のバンド通し孔２５ａが左側に来るようにする。左手に装着するときは、リストバンド７がフィンガーベルト５の基端からほぼ左側へ延び、バックル９のバンド通し孔２５ａが右側へ来るようにする。
【００３４】
そして、指サック３に人指し指（必ずしもこの指に限らない）を挿入しながら、フィンガーベルト５を手の甲側に載せた後、リストバンド７の他端部７ｂをつまんで、このリストバンド７を同図（Ａ）に示すように手首に１周巻きつけ、この他端部７ｂを同図（Ｂ）に実線で示すように、バックル９のバンド通し孔２５ａに下から通す。これにより、リストバンド７がループを形成する。
【００３５】
そして、同図（Ｂ）に二点鎖線で示すように、その他端部７ｂをつまんで手前側へ折り返し、ここを適度に引っ張ってリストバンド７を手首に軽く締め付ける。この状態では、リストバンド７の前記フック層２１が下を向く。従って、ここで他端部７ｂをループ層１９に重ねれば、フック層２１とループ層１９とが結着するので、同図（Ｃ）に示すようにリストバンド７のループが固定して手首への巻き付けが完了する。
手首への締め付けが緩いとき、又はきついときは、一旦フック層２１をループ層１９から離して調節する。
【００３６】
フィンガープロテクター１をこのように装着するとき、特に、図４（Ｂ）に二点鎖線で示すようにリストバンド７の端を引っ張ったとき、リストバンド７の略全体が当該手首に対して最も馴染む巻き形状となるように、その一端部とバックル９が自然に回動して一番無理のない向きになる。従って、リストバンド７に無理な形での曲がりが生じることは無く、リストバンド７は手首に違和感無くぴったり馴染む。
【００３７】
そして、このフィンガープロテクター１にあっては、リストバンド７とバックル９が１つの軸（係合突起２７とボス３１に共通の軸心）で回動自在に連結されているため、これを装着する手が右手であろうと左手であろうと、リストバンド７の巻き方向を選ぶことで、リストバンド７の巻き終わり位置を別の手の側に持ってくることができる。従って、ループを形成したリストバンド７の他端部７ｂを引っ張って締め付ける作業方向を、常に、当該別の手で手前側に引っ張るという、最も楽な方向とすることができる。
【００３８】
しかも、手首に回したリストバンド７を締め付ける操作は、必然的に、リストバンド７がバックル９のバンド通し孔２５ａを通された状態、即ち、ループが形成された状態で行うことになる。即ち、このフィンガープロテクター１の装着は、リストバンドのループ形成と手首への締め付けを、一つ一つ処理して行うことになる。従って、ループを形成しながら締め付けを行うことを要求される従来の直状バンドタイプのものとは違って、装着作業を誰でも簡単に行うことができる。
【００３９】
そして、リストバンド７の締め付けを行う際に、バックル９の位置を、指サック３に挿入した指の真後ろにあるように調節しておけば、フィンガーベルト５は、必ず、指サック３に挿入した指の背に沿って延びることになる。従って、指サック３が側方へ引っ張られることは無い。
このような位置調節は、例えば、リストバンド７が巻きつけられた手首をリストバンド７に対して相対的に少し回すことで簡単に行うことができる。このような処理を可能ならしめたのも、リストバンド７のループ形成と締め付けを別々に行うことができるようにしたことに依るものである。
【００４０】
しかして、この魚釣用フィンガープロテクター１によれば、手や手首のサイズや形を問わず誰にもフィットさせることができ、締め付けの強さも自由に調整でき、装着の操作も簡単で、指サックに挿入した指の落ち着き具合も良い。
【００４１】
尚、この魚釣用フィンガープロテクター１は、キャスティング時における釣糸の制御だけで無く、キャスティング後の所謂サミング、又は手釣りにも使用することができる。また、リストバンド７とバックル９とで、竿等を結束するための結束バンドとして利用することもできる。
【００４２】
〔Ｃ．変形例〕（図５）
図５は上記した魚釣用フィンガープロテクター１の変形例１Ａを示すものである。この魚釣用フィンガープロテクター１Ａが前記魚釣用フィンガープロテクター１と比較して相違する点は、バックルとバックル止めだけである。従って、説明は上記相違点についてのみ行い、その余の部分については、図５の各部に前記魚釣用フィンガープロテクター１における同様の部位に付した符号と同じ符号、又はそれにダッシュ記号を付けた符号を付することによって説明を省略する。このような符号の使い方とその意味は、後述する第二から第六の実施の形態においても同様とする。
【００４３】
このフィンガープロテクター１Ａにおいては、下にバックル９´があり、上にバックル止め１１´がある。バックル９´は、バックル主部２５と、ここから上に向けて突出したボス３１とが一体に形成されている。また、バックル止め１１´は円板部２９とその中心部から下に突出した係合突起２７とが一体に形成されている。
バックル９´のボス３１はリストバンド７の軸通し孔７ａに下から通し、バックル止め１１´の係合突起２７はフィンガーベルト５の軸通し孔５ｃに上から通し、係合突起２７をボス３１に挿入する。
【００４４】
〔２．第二の実施の形態〕（図６）
図６は本発明の第二の実施の形態にかかる魚釣用フィンガープロテクター１Ｂを示すものである。この魚釣用フィンガープロテクター１Ｂが前記魚釣用フィンガープロテクター１と相違する点はリストバンドにある。
【００４５】
このフィンガープロテクター１Ｂにおけるリストバンド３５は、バンド本体７´と、このバンド本体７´の一端部が連結された合成樹脂製の連結プレート３７の２部材で構成されている。バンド本体７´は前記リストバンド７と略同じ構造をしており、連結プレート３７は前記バックル９のバックル主部２５と同様の形態のものであって、バンド本体７´の一端部は、連結プレート３７の連結長孔３７ａを通して折り返した状態で重ね縫いされている。そして、連結プレート３７に形成されている軸通し孔３７ｂにバックル止め１１のボス３１が通されることで、リストバンド３５がフィンガーベルト５とバックル９に回動自在に連結される。
【００４６】
〔３．第三の実施の形態〕（図７）
図７は本発明の第三の実施の形態にかかる魚釣用フィンガープロテクター１Ｃを示すものである。この魚釣用フィンガープロテクター１Ｃが前記魚釣用フィンガープロテクター１と相違する点は、フィンガーベルトにある。
【００４７】
このフィンガープロテクター１Ｃにおけるフィンガーベルト４１は、フィンガーベルト本体５´と、このフィンガーベルト本体５´の基端部が連結された合成樹脂製の連結プレート３７の２部材で構成されている。フィンガーベルト本体５´は前記フィンガーベルト５と略同じ構造をしており、その基端部は、連結プレート３７の連結長孔３７ａを通して折り返した状態で重ね縫いされている。そして、連結プレート３７に形成されている軸通し孔３７ｂにバックル９の係合突起２７が通されることで、フィンガーベルト４１がリストバンド７とバックル９に回動自在に連結される。
【００４８】
〔４．第四の実施の形態〕（図８）
図８は本発明の第四の実施の形態にかかる魚釣用フィンガープロテクター１Ｄを示すものである。この魚釣用フィンガープロテクター１Ｄが前記魚釣用フィンガープロテクター１と相違する点は、フィンガーベルトに対するリストバンドの連結点とバックルの連結点を異ならせたものである。
【００４９】
即ち、フィンガーベルト５の基端部４５は幅広に形成されており、この基端部４５の幅方向における一方の半部にバックル９が回動自在に連結され、別の半部にリストバンド７の一端部が回動自在に連結されている。フィンガーベルト５とリストバンド７との連結は、バックル９の係合突起２７と同様の係合突起を持つ雄側ボタン４７ａと、バックル止め１１のボス３１と同様のボスを持つ雌側ボタン４７ｂとで構成される一対のボタン４７で為されている。
【００５０】
このフィンガープロテクター１Ｄにあっても、リストバンド７を手首に巻き付けて、その他端部７ｂをバックル９のバンド通し孔２５ａに通して手前側に引っ張ると、リストバンド７の略全体が当該手首に対して最も馴染む巻き形状となるように、リストバンド７の一端部とバックル９が自然に回動して一番無理のない向きになる。
【００５１】
〔５．第五の実施の形態〕（図９）
図９は、本発明の第五の実施の形態にかかる魚釣用フィンガープロテクター１Ｅを示すものである。この魚釣用フィンガープロテクター１Ｅが前記魚釣用フィンガープロテクター１と相違する点は、フィンガーベルトとリストバンドとの連結を、バックルを介して行うようにしたものである。
【００５２】
このフィンガープロテクター１Ｅにおけるバックル５１は、バックル主部５３の平面形状が略Ｌ字形をしており、その両端部にバンド通し孔５３ａと５３ｂが各別に形成されている。そして、フィンガーベルト５は、その軸通し孔（５ｃ）にバックル５１の係合突起２７を通されることでこのバックル５１と回動自在に連結され、リストバンド７´は、その一端部がバンド通し孔５３ｂを通して折り返した状態で重ね縫いされることでバックル５１に連結されている。従って、リストバンド７´はバックル５１を介してフィンガーベルト５と回動自在に連結される。
【００５３】
このフィンガープロテクター１Ｅにあっても、リストバンド７を手首に巻き付けて、その他端部７ｂをバックル５１のバンド通し孔５３ａに通して手前側に引っ張ると、リストバンド７の略全体が当該手首に対して最も馴染む巻き形状となるように、バックル５１が自然に回動して一番無理のない向きに落ち着く。
【００５４】
〔６．第六の実施の形態〕（図１０〜図１２）
図１０から図１２は、本発明の第六の実施の形態にかかる魚釣用フィンガープロテクター１Ｆを示すものである。この魚釣用フィンガープロテクター１Ｆが前記魚釣用フィンガープロテクター１と相違する点は、リストバンドをループ形に形成するための手段として一対のスナップボタンを使用したことにある。
【００５５】
６１はフィンガープロテクター１Ｆのリストバンドを示す。このリストバンド６１は、前記リストバンド７のベースシート１７と同様の素材だけで形成されており、その一端部に軸通し孔６１ａが形成され、裏面の他端部に、スナップボタン６３の雄側（凸側）ボタン６３ａが取り付けられている。
このスナップボタン６３は、合成樹脂製のもので、雌側ボタン６３ｂの穴には図示しないバネリングが収納され、雌側ボタン６３ｂにはその中心部から下方へ突出した係合突起２７が一体に形成されている。この係合突起２７はフィンガーベルト５の軸通し孔５ｃを上から通される。
【００５６】
６５は前記バックル止め１１と同様の構造に形成されたボタン止めを示し、このボタン止め６５のボス３１がリストバンド６１の軸通し孔６１ａを下から通され、ボス３１の孔３１ａに係合突起２７の係合頭部２７ａが挿入される。これにより、フィンガーベルト５の基端部とリストバンド６１の一端部とが、雌側ボタン６３ｂとボタン止め６５を介して相互に回動自在に連結される。
【００５７】
このような構造のフィンガープロテクター１Ｆは、図１２に示すように装着する。即ち、指サック３に指を挿入して、リストバンド６１を手首に１周巻き付け、雄側ボタン６３ａを雌側ボタン６３ｂに係合する。このとき、リストバンド６１の端をつまんだ指以外の指でフィンガーベルト５の基端部近く、例えば、雌側ボタン６３ｂを側方から押さえておくと、リストバンド６１の端を引っ張っても雌側ボタン６３ｂが横移動しないで済むため、スナップボタン６３を簡単に止めることができる。
【００５８】
このフィンガープロテクター１Ｆにあっても、リストバンド６１の端を引っ張ったとき、リストバンド６１の略全体が当該手首に対して最も馴染む巻き形状となるように、その一端部が自然に回動して一番無理のない向きに落ち着く。従って、リストバンド６１が手首に違和感無くぴったり馴染む。
尚、このフィンガープロテクター１Ｆにあっては、リストバンド６１をループ形にするための操作が、スナップボタン６３を掛けるだけの一動作で済むという利点はあるが、手首の太さの違いに拘らずリストバンド６１が形成するループの大きさが常に一定になってしまうため、リストバンド６１の素材としては、できるだけ柔らかくて伸展性の良いものを選ぶことが重要である。
【００５９】
以上、本発明の実施の形態について詳述してきたが、具体的な構成はこの実施の形態に限られるものではなく、本発明の要旨を逸脱しない範囲における設計の変更などがあっても本発明に含まれる。
【００６０】
例えば、係止手段として面ファスナーを用いる場合、実施の形態においては、リストバンドの一方の面の全体にループ層を設けたが、このループ層は一端部近くのある程度の領域に限っても差し支えない。勿論、これらループ層とフック層を逆にしても良い。
また、実施の形態においては、バックルを合成樹脂により形成したが、場合によっては耐錆性の良い金属で形成することも考えられる。
【００６１】
【発明の効果】
以上のように、本発明に係る魚釣用フィンガープロテクターによれば、装着を行うべくリストバンドの端を引っ張ると、リストバンドは、その略全体が当該手首に対して最も馴染む巻き形状となるように、その一端部がフィンガーベルトに対して自然に回動して一番無理のない向きに落ち着く。従って、リストバンドが手首に違和感無くぴったり馴染む。
そして、リストバンドの巻き形状が手首に一番馴染む形になるので、フィンガーベルトが横方向へ引っ張られることは殆ど無く、従って、指サックに挿入した指が安定して、釣糸に対する操作や竿の握り具合も落ち着く。
また、この発明におけるフィンガーベルトとリストバンドの形状は、基本的に直状のもので足りるので、手を覆う面積が最小限に済むと共に、材料取りに無駄が生じない。
【００６２】
更に、リストバンドのループ形成と手首への締め付けを、一つ一つ順を追って処理することができるため、装着作業を誰でも簡単に行うことができると共に、締付けの強さ調節も容易且つ微細に行うことができる。
【図面の簡単な説明】
【図１】本発明の第一の実施の形態に係る魚釣用フィンガープロテクターの斜視図である。
【図２】図１のＡ−Ａ線に沿って切断した要部拡大断面図である。
【図３】図１に示す魚釣用フィンガープロテクターの分解斜視図である。
【図４】図１に示す魚釣用フィンガープロテクターの装着手順を（Ａ）から（Ｃ）へ順を追って示す平面図である。
【図５】図１に示す魚釣用フィンガープロテクターの変形例を示す分解斜視図である。
【図６】本発明の第二の実施の形態に係る魚釣用フィンガープロテクターと、その一部品である連結プレートを示す斜視図である。
【図７】本発明の第三の実施の形態に係る魚釣用フィンガープロテクターと、その一部品である連結プレートを示す斜視図である。
【図８】本発明の第四の実施の形態に係る魚釣用フィンガープロテクターを示す斜視図である。
【図９】本発明の第五の実施の形態に係る魚釣用フィンガープロテクターと、その一部品であるバックルを示す斜視図である。
【図１０】本発明の第六の実施の形態に係る魚釣用フィンガープロテクターを一部省略して示す斜視図である。
【図１１】図１０に示す魚釣用フィンガープロテクターの要部を拡大した垂直断面図である。
【図１２】図１０に示す魚釣用フィンガープロテクターの装着状態の一例を示す平面図である。
【図１３】投げ釣りのキャスティング時において釣糸に指を掛けた状態を示す図である。
【符号の説明】
１          魚釣用フィンガープロテクター
３          指サック
５          フィンガーベルト
７          リストバンド
７ｂ        （リストバンドの）他端部
９          バックル
１３        係止手段（面ファスナー）
１９        （面ファスナーの）要素
２１        （面ファスナーの）要素
２５ａ      バンド通し孔
１Ａ        魚釣用フィンガープロテクター
９´        バックル
１Ｂ        魚釣用フィンガープロテクター
３５        リストバンド
１Ｃ        魚釣用フィンガープロテクター
４１        フィンガーベルト
１Ｄ        魚釣用フィンガープロテクター
４５        （フィンガーベルトの）基端部
１Ｅ        魚釣用フィンガープロテクター
５１        バックル
５３ａ      バンド通し孔
１Ｆ        魚釣用フィンガープロテクター
６１        リストバンド
６３        係止手段
【図１】
0003554229.tif 000002
【図２】
0003554229.tif 000003
【図３】
0003554229.tif 000004
【図４】
0003554229.tif 000005
【図５】
0003554229.tif 000006
【図６】
0003554229.tif 000007
【図７】
0003554229.tif 000008
【図８】
0003554229.tif 000009
【図９】
0003554229.tif 000010
【図１０】
0003554229.tif 000011
【図１１】
0003554229.tif 000012
【図１２】
0003554229.tif 000013
【図１３】
0003554229.tif 000014